(57)【要約】      （修正有）【課題】簡単に装着でき、かつ、装着後も所定位置に固定され擦れ落ちたり滑り落ちたりすることのない顔面皺伸ばし器を提供する。【解決手段】装着者の頭部に装着して装着者の顔面の皺を目立たなくする装着器であって、頭部の頭頂部周辺の頭髪に留める頭頂留め具２と、左右のこめかみ上部のフェースライン生え際の頭髪を斜め上方に引っ張り上げて留める左右のこめかみ上部留め具３と、これらの頭頂留め具及び左右のこめかみ上部留め具とを連結する伸縮紐４と、からなる。【選択図】図４
0003181334.tif 000002
【実用新案登録請求の範囲】
【請求項１】
装着者の頭部に装着して装着者の顔面の皺を目立たなくする装着器であって、
頭部の頭頂部周辺の頭髪に留める頭頂留め具と、
左右のこめかみ上部のフェースライン生え際の頭髪を斜め上方に引っ張り上げて留める左右のこめかみ上部留め具と、
これらの頭頂留め具及び左右のこめかみ上部留め具とを連結する伸縮紐と、
からなることを特徴とする顔面皺伸ばし器。
【請求項２】
前記頭頂留め具には、当該頭頂留め具を隠すヘアピースが設けられていることを特徴とする請求項１に記載の顔面皺伸ばし器。
【請求項３】
前記頭頂留め具及び左右のこめかみ上部留め具は、これらを連結する前記伸縮紐上でその位置を変更可能にする固定手段を備えたことを特徴とする請求項１に記載の顔面皺伸ばし器。
【考案の詳細な説明】
【技術分野】
【０００１】
本考案は、頭部に装着して顔面の皺、特に目尻の皺やほうれい線（笑いじわ）を伸ばす顔面皺伸ばし器に関する。
【背景技術】
【０００２】
顔面の皺は老化とともに発生し、顔面皺によって年齢以上の風貌に見えたり、皺を見せなくすることにより、若返った容姿を得ることができる。顔面の皺を伸ばす器具に関しては、例えば、特開２０００−２２９０１４号公報や特開２００４−１６３７９号公報に開示のものが知られている。
【０００３】
特開２０００−２２９０１４号公報に開示のものは、発明名称「皺伸ばし装置」に係り、「顔面の皮膚の弛み、皺等を解消する」ことの発明解決課題において(同公報明細書１頁１４行参照)、「頭の左右側面の髪に夫々結合される結合具と、両結合具間を結ぶ伸縮自在な連結紐とを具備した」構成とすることにより(同公報明細書特許請求の範囲請求項1の記載参照）、「目尻及びその近傍の皺や弛みを解消することができる。また、髪を介して皮膚を引っ張り、連結紐は後頭部上の髪に被さるので装着の違和感が低減乃至解消される。また、本発明において連結紐の中間に係脱具を設けた場合は、係脱具で連結紐を繋いだり解いたりすることができるので、皺伸ばし装置を簡易かつ迅速に着脱することができる。また、本発明において結合具と連結紐とを頭髪と同様な色に着色した場合は、皺伸ばし装置の装着を目立たなくすることができる」等の効果を奏するものである(同公報明細書３頁２行〜１１行参照）。
【０００４】
図８は、特開２０００−２２９０１４号公報に図３として開示される「皺伸ばし装置の使用状態を示す説明図」である。図８において、符号１０１ａは、結合具、１０２ａは、連結紐、１０３は、ブレード、１０６は、柄部分、１０９は、頭の左右側面の髪を示し、丸数字の１〜３及び矢印は、皮膚の引っ張り順序及び方向を示す。
【０００５】
また、特開２００４−１６３７９号公報に開示のものは、発明名称「フェースリフトアップ用器具」に係り、「メスを入れて皺の垂みをとるような整形手術を一切しないで、恰も頭髪のセットをする程度の気楽さでフェースリフトアップを簡単、迅速に而も安全に行うことができ、且つアクセサリーを装着したように使用することを可能としたフェースリフトアップ用器具を提供する」ことを目的とする発明解決課題において(同公報明細書段落番号０００６参照）、「顔の皺をのばすように該部に対応する部位の毛頭髪を束ねて引張るフェースリフトアップ用器具であって、毛髪の束を沿わせるように又は巻き付けるように保持する芯体（１１）と、この芯体に対して芯体周面部に外嵌する着脱可能な割筒形の外装体（１２）によりなるクリップ体（１０）を主構成とし、クリップ体（１０）の芯体後部に毛髪牽引用のフック掛け部（１）を有し、芯体（１１）と外装体（１２）とを毛髪を挟んで軸方向一体に固定しフック掛け部（１）にリフトバンド（２０）を係着する」構成とすることにより(同公報明細書特許請求の範囲請求項１の記載等参照）、「・・リフトアップを効果的に行うことができると共に、・・セット時でも余まり目立たないので体裁がよく、誰れでも独りで簡単に使用することができる。お洒落感覚で頭飾りを装着した如くに使用することができ室内はもとより外出時にも気楽に使用できる」等の効果を奏するものである(同公報明細書段落番号００１９，００２０参照）。
【０００６】
図９は、特開２００４−１６３７９号公報に図１として開示される開示発明の「フェースリフトアップ器具の一実施例、（イ）はクリップをセットした状態の外観図、（ロ）は本器具全体の斜視図」である。図９において、符号２０１は、フック掛け部、２１０は、クリップ体、２１１は、芯体、２１２は、外装体、２２０は、リフトバンド、２２１は、止具、２２２は、係止部を示す（なお、符号は、上記特開２０００−２２９０１４号公報及び特開２００４−１６３７９号公報に開示の先行技術であることを明らかにするために、本願出願人において、１００番台、２００番台の３桁に変更して説明した。）。
【０００７】
しかしながら、これらの特開２０００−２２９０１４号公報や特開２００４−１６３７９号公報に開示のものは、図８及び図９から明らかなように、伸縮する一本の連結紐１０２ａやリフトバンド２２０で構成されるため、装着から時間が経ちたり、頭が動いたりするに従って、上記の皺伸ばし装置やフェースリフトアップ用器具に擦れや外れが生じて使いにくく、また、顔面の完全な皺伸ばしをすることはできなかった。
【先行技術文献】
【特許文献】
【０００８】
【特許文献１】特開２０００−２２９０１４号公報
【特許文献２】特開２００４−１６３７９号公報
【考案の概要】
【考案が解決しようとする課題】
【０００９】
本考案は、上記の問題点に鑑み、簡単に装着でき、かつ、装着後も所定位置に固定され擦れ落ちたり滑り落ちたりすることのない顔面皺伸ばし器を提供することを目的とする。
【課題を解決するための手段】
【００１０】
上記目的を達成するために、本願請求項１に係る考案は、装着者の頭部に装着して装着者の顔面の皺を目立たなくする装着器であって、頭部の頭頂部周辺の頭髪に留める頭頂留め具と、左右のこめかみ上部のフェースライン生え際の頭髪を斜め上方に引っ張り上げて留める左右のこめかみ上部留め具と、これらの頭頂留め具及び左右のこめかみ上部留め具とを連結する伸縮紐と、からなることを特徴とする。
また、本願請求項２に係る考案は、前記請求項１に係る顔面皺伸ばし器において、前記頭頂留め具には、当該頭頂留め具を隠すヘアピースが設けられていることを特徴とする。
そして、本願請求項３に係る考案は、前記請求項１に係る顔面皺伸ばし器において、前記頭頂留め具及び左右のこめかみ上部留め具は、これらを連結する前記伸縮紐上でその位置を変更可能にする固定手段を備えたことを特徴とする。
【考案の効果】
【００１１】
装着者が簡単に装着でき、かつ、装着後も所定位置に安定して固定され、長時間着用しても擦れ落ちたり滑り落ちたりすることのなく、目尻皺やほうれい線（笑いじわ）を長時間隠すことができる。
【図面の簡単な説明】
【００１２】
【図１】図１は、本考案に係る顔面皺伸ばし器を実施するための一実施例である顔面皺伸ばし器の実施例１の概略を示す図である。
【図２】図２は、前記頭頂留め具２の頭髪留め機能の概略を示す図であり、図２（ａ）は、開状態を、図２（ｂ）は、閉状態を示す図である。
【図３】図３は、前記こめかみ上部留め具３、３の頭髪留め機能の概略を示す図であり、図３（ａ）は、開状態を、図３（ｂ）は、閉状態を示す図である。
【図４】図４は、本実施例１に係る顔面皺伸ばし器１を装着する概略を示す図である。
【図５】図５は、本実施例１に係る顔面皺伸ばし器１を装着する概略を示す図である。
【図６】図６は、本実施例１に係る顔面皺伸ばし器１を装着する概略を示す図である。
【図７】図７は、本考案に係る顔面皺伸ばし器を実施するための変形実施例である顔面皺伸ばし器の実施例２の概略を示す図である。
【図８】図８は、特開２０００−２２９０１４号公報に図３として開示される「皺伸ばし装置の使用状態を示す説明図」である。
【図９】図９は、特開２００４−１６３７９号公報に図１として開示される開示発明の「フェースリフトアップ器具の一実施例、（イ）はクリップをセットした状態の外観図、（ロ）は本器具全体の斜視図」である。
【考案を実施するための形態】
【００１３】
本考案に係る顔面皺伸ばし器を実施するための一実施例を図面に基づき詳細に説明する。
【実施例１】
【００１４】
図１は、本考案に係る顔面皺伸ばし器を実施するための一実施例である顔面皺伸ばし器の実施例１の概略を示す図である。図１において、符号１は、本実施例１に係る顔面皺伸ばし器、２は、頭頂留め具、３は、こめかみ上部留め具、４は、これらの頭頂留め具２及び二つのこめかみ上部留め具３、３の間を連結する伸縮紐であり、本実施例１に係る顔面皺伸ばし器１においては、前記頭頂留め具２は、前記こめかみ上部留め具３、３より若干小さめの留め具とし、装着に際しては、前記頭頂留め具２が、装着者の頭頂部に位置した場合、前記伸縮紐４が若干伸縮された状態で前記二つのこめかみ上部留め具３、３が、装着者のこめかみ上部の頭髪を若干斜め上方に引っ張り力を与える位置に適合するように、前記二つのこめかみ上部留め具３、３の等距離に前記頭頂留め具２を設けたものである。
【００１５】
また、図２、図３は、前記頭頂留め具２及びこめかみ上部留め具３、３の頭髪留め機能の概略を示す図であり、図２（ａ）、図３（ａ）は、開状態を、図２（ｂ）、図３（ｂ）は、閉状態を示す図である。図２（ａ）（ｂ）及び図３（ａ）（ｂ）から明らかなように、これらの留め具は、前後に屈曲する一方中央部２ａ、３ａと、他方の中央部２ｂ、３ｂから延びる複数の櫛刃２ｃ、２ｃ、・・・、３ｃ、３ｃ、・・・からなり、前記中央部２ａ、３ａを、例えば、紙面前方に屈曲させることにより、開状態となり、同中央部２ａ、３ａを、例えば、紙面後方に屈曲させることにより、前記複数の櫛刃２ｃ、２ｃ、・・・、３ｃ、３ｃ、・・・が、当該中央部２ａ、３ａに接合し、閉状態となるような機能を有する。
【００１６】
したがって、頭髪を止める場合には、各留め具２、３を開状態にしておいて、留める位置の頭髪を前記櫛刃２ｃ、２ｃ、・・・、３ｃ、３ｃ、・・・と当該中央部２ａ、３ａ途の間で挟み込み、しかる後、当該中央部２ａ、３ａを反対側に押して屈曲させ、閉状態として、所定位置の頭髪を捕捉して留める構造を有する。
【００１７】
本実施例１に係る顔面皺伸ばし器１においては、前記頭頂留め具２を前記こめかみ上部留め具３、３より若干小さめのものを用いたが、これは大小を問わず適宜の大きさのものであれば良く、また、前記中央部２ａ、３ａを前後に屈曲させて開閉させる留め具２、３を用いたが、このような屈曲開閉機能の留め具に限るものではなく、所定位置の頭髪をしっかりと留める機能を有するものであればどのような留め具であっても良いものである。
【００１８】
なお、本実施例１に係る顔面皺伸ばし器１においては、前記頭頂留め具２及び前記こめかみ上部留め具３、３との間の距離が動かないように前記伸縮紐４に一体に構成したが、変形例として、図示外の係合手段により、これらの頭頂留め具２及び二つのこめかみ上部留め具３、３が、前記伸縮紐４の自由位置に移動可能に固定できるようにしても良いものである。
【００１９】
次に、本実施例１に係る顔面皺伸ばし器１を装着する概略を図面に基づいて説明する。
図４〜図６は、本実施例１に係る顔面皺伸ばし器１を装着する概略を示す図であり、図４〜図６において、符号２、３，４は、それぞれ前述の頭頂留め具２、こめかみ上部留め具３、伸縮紐４である。
【００２０】
本実施例１に係る顔面皺伸ばし器１を頭部に装着するには、まず、装着者は、本実施例１に係る顔面皺伸ばし器１の前記頭頂留め具２を自分の頭頂位置に配置して、当該頭頂位置の頭髪をしっかりと留める（図４（ａ））。次に、前記伸縮紐４を若干引っ張るようにして後頭部下方の頭髪の生え際に廻す（図４（ｂ））。そうすると、図４（ｂ）に示されるように、前記こめかみ上部留め具３は、装着者の頭部耳上当たりに位置する（図４（ｂ））。次いで、頭頂部周囲の留められてない頭髪で前記頭頂留め具２を隠し（図５（ａ））、さらに、左右の前記こめかみ上部留め具３でこめかみ上部のフェースライン上の生え際の頭髪をすくい上げるように斜め上方に引っ張り上げ、しかる後、引っ張り上げた位置で留める（図５（ｂ））。
【００２１】
そうすると、前記頭頂留め具２は、装着者の頭頂部でしっかりと固定される一方、左右のこめかみ上部留め具３、３は装着者のこめかみ上部でこめかみ上部のフェースライン上生え際の頭髪を斜め上方に引っ張り上げながらしっかりと固定される（図６（ａ））。その上で、前記こめかみ上部留め具３や伸縮紐４を周囲の頭髪で隠す（図６（ｂ））。
【００２２】
このように装着すると、こめかみ上部のフェイスライン上生え際の頭髪が斜め上方に引っ張り上げられると、装着者の顔面に生じていた目尻皺等が延び目立たなくなり皺が消える。また、若干ではあるが装着者の鼻脇のいわゆるほうれい線(笑いじわ)が消えて目立たなくなる。
本実施例１に係る顔面皺伸ばし器１によれば、目尻皺やほうれい線(笑いじわ)が消えて目立たなくなり、しかも、各留め具の位置が時間の経過や頭の動きでずれることがなく、安定して長時間顔面皺を目立たなくすることができる。
【実施例２】
【００２３】
本考案に係る顔面皺伸ばし器を実施するための変形実施例を図面に基づき詳細に説明する。
図７は、本考案に係る顔面皺伸ばし器を実施するための変形実施例である顔面皺伸ばし器の実施例２の概略を示す図である。図７において、符号５は、本実施例２に係る顔面皺伸ばし器、２，３，４は、本実施例１に係る顔面皺伸ばし器の実施例１と同じ頭頂留め具２、こめかみ上部留め具３、伸縮紐４であり、６は、前記頭頂留め具２を隠すヘアピースである。本実施例２に係る顔面皺伸ばし器５と本実施例１に係る顔面皺伸ばし器１との違いは、前記頭頂留め具２に当該頭頂留め具２を隠すための前記ヘアピース６が接着されていることである。
このような前記頭頂留め具２を隠すための前記ヘアピース６が接着されている本実施例２に係る顔面皺伸ばし器５は年齢が嵩み頭頂部の毛頭髪が少なくなった装着者に特に便宜である。
【産業上の利用可能性】
【００２４】
本発明は、顔面皺伸ばしに利用する。
【符号の説明】
【００２５】
１ 実施例１に係る顔面皺伸ばし器
２ 頭頂留め具
２ａ 一方中央部
２ｂ 他方中央部
２ｃ 櫛刃
３、３ こめかみ上部留め具
４ 伸縮紐
５ 実施例２に係る顔面皺伸ばし器
６ ヘアピース
１０１ａ 結合具
１０２ａ 連結紐
１０３ ブレード
１０６ 柄部分
１０９ 頭の左右側面の髪
２０１ フック掛け部
２１０ クリップ体
２１１ 芯体
２１２ 外装体
２２０ リフトバンド
２２１ 止具
２２２ 係止部
【図１】
0003181334.tif 000003
【図２】
0003181334.tif 000004
【図３】
0003181334.tif 000005
【図４】
0003181334.tif 000006
【図５】
0003181334.tif 000007
【図６】
0003181334.tif 000008
【図７】
0003181334.tif 000009
【図８】
0003181334.tif 000010
【図９】
0003181334.tif 000011